(57)【要約】  基地局及び端末は無線通信システムで同期獲得及びシステム情報獲得のための方法を使用する。基地局の動作は、同期チャネルを介して送信される同期信号を生成する過程と、放送チャネルを介して送信される放送信号を生成する過程と、前記同期チャネル及び前記放送チャネルを互いに異なる送信ビームでビームフォーミングして繰り返し送信する過程と、を含む。
2014532320.tif 000002
【特許請求の範囲】
【請求項１】
移動通信システムにおける基地局の動作方法であって、
同期チャネルを介して送信される同期信号を生成する過程と、
放送チャネルを介して送信される放送信号を生成する過程と、
前記同期チャネル及び前記放送チャネルを互いに異なる送信ビームにビームフォーミングして繰り返し送信する過程と、を含むことを特徴とする方法。
【請求項２】
前記同期チャネル及び前記放送チャネルを繰り返し送信する過程は、
一つのセルに含まれる多数のアンテナ領域それぞれに割り当てられた多数のアンテナグループのうち第１アンテナグループを利用して第１アンテナ領域のための送信ビームを形成する過程と、
前記多数のアンテナグループのうち第２アンテナグループを利用して第２アンテナ領域のための送信ビームを形成する過程と、を含むことを特徴とする請求項１に記載の方法。
【請求項３】
前記同期チャネル及び前記放送チャネルを繰り返し送信する過程は、
前記第１アンテナ領域のための送信ビーム及び前記第２アンテナ領域のための送信ビームを同時に形成する過程を含むことを特徴とする請求項２に記載の方法。
【請求項４】
前記同期信号は、前記同期信号を送信するアンテナグループに対応するアンテナ領域のアンテナ領域ＩＤを指示することを特徴とする請求項２に記載の方法。
【請求項５】
移動通信システムにおける端末の動作方法であって、
互いに異なる送信ビームにビームフォーミングされて繰り返し送信される同期チャネルのうち少なくとも一つを検出する過程と、
互いに異なる送信ビームにビームフォーミングされて繰り返し送信される放送チャネルのうち少なくとも一つを介してシステム情報を獲得する過程と、を含むことを特徴とする方法。
【請求項６】
前記放送チャネルのうち少なくとも一つを介してシステム情報を獲得する過程は、
前記放送チャネルのうち少なくとも２つを介して受診する放送信号を結合する過程と、
結合された放送信号をデコーディングする過程と、を含むことを特徴とする請求項５に記載の方法。
【請求項７】
前記システム情報を利用してフレーム同期を獲得する過程を更に含むことを特徴とする請求項５に記載の方法。
【請求項８】
前記フレーム同期を獲得する過程は、
前記システム情報を利用して前記同期チャネル及び前記放送チャネルが繰り返し送信される区間の境界を決定する過程と、
前記区間の境界から前記フレームの境界を決定する過程と、を含むことを特徴とする請求項７に記載の方法。
【請求項９】
前記システム情報を利用して前記同期チャネル及び前記放送チャネルが繰り返し送信される区間の境界を決定する過程は、
前記システム情報を介して基地局から送信される同期チャネルの個数を確認する過程と、
前記送信ビームの個数を利用して前記検出された同期チャネルに続いていくつの同期チャネルが位置するのかを計算する過程と、を含むことを特徴とする請求項８に記載の方法。
【請求項１０】
前記互いに異なる送信ビームにビームフォーミングされて繰り返し送信される同期チャネルのうち少なくとも一つを検出する過程は、
同じ送信ビームにビームフォーミングされた同期チャネルを互いに異なる受信ビームを適用しながら検出する過程を含み、
受信信号強度を最大化する好ましい送信ビーム及び好ましい受信ビームの組み合わせを決定する過程と、を更に含むことを特徴とする請求項５に記載の方法。
【請求項１１】
前記同期チャネルを介して受信される同期信号が、セルＩＤ、前記同期信号に適用された送信ビームＩＤのうち少なくとも一つを指示することを特徴とする請求項１又は請求項５に記載の方法。
【請求項１２】
セルＩＤ、前記同期信号に適用された送信ビームＩＤのうち少なくとも一つは、前記同期信号を構成するシーケンス、前記同期信号がマッピングされた副搬送波の位置、前記同期信号に対するスクランブリングコード、カバリングコードのうち少なくとも一つを介して指示されることを特徴とする請求項１１に記載の方法。
【請求項１３】
前記放送チャネルを介して受信される放送信号が、前記放送信号に適用された送信ビームＩＤを指示することを特徴とする請求項１又は請求項５に記載の方法。
【請求項１４】
前記送信ビームＩＤは、前記システム情報に含まれた情報項目、前記システム情報に適用されるスクランブリングコードのうち少なくとも一つを介して指示される特徴とする請求項１３に記載の方法。
【請求項１５】
請求項１から請求項１４のうちいずれか一つの方法を実施するように構成された装置。
【発明の詳細な説明】
【技術分野】
【０００１】
本発明は、無線通信システムに関するものである。
【背景技術】
【０００２】
持続的に増加する無線データトラフィック（ｔｒａｆｆｉｃ）の需要を満たすために、無線通信システムはより高いデータ伝送率をサポートするための方向に発展しつつある。現在、商用化が始まる４Ｇ（４ｔｈ  Ｇｅｎｅｒａｔｉｏｎ）システムは、データ伝送率を増加させるために主に周波数効率性（ｓｐｅｃｔｒａｌ  ｅｆｆｉｃｉｅｎｃｙ）を改善する方向で技術開発を追求していた。しかし、前記周波数効率性改善技術のみでは急増する無線データトラフィックの需要を満足することが難しくなっている。
【０００３】
上述した問題点を解決するための一つの方案として、非常に広い周波数帯域を使用することがある。従来の移動通信セルラー（ｃｅｌｌｕｌｅｒ）システムで使用される周波数帯域は一般的に１０ＧＨｚ以下であって、広い周波数帯域の確保が非常に難しい。よって、より高い周波数帯域で広帯域周波数を確保すべき必要性がある。しかし、無線通信のための周波数が高くなるほど電波経路損失が増加する。そのため電波到達距離が相対的に短くなり、それによってサービス領域（ｃｏｖｅｒａｇｅ）が小さくなる。それを解決するため、つまり、電波経路損失の緩和及び電波伝達距離の増加のための重要技術の一つとしてビームフォーミング（ｂｅａｍｆｏｒｍｉｎｇ）技術がある。
【０００４】
ビームフォーミングは送信端で行われる送信ビームフォーミングと受信端で行われる受信ビームフォーミングで区分される。前記送信ビームフォーミングは、一般に多数のアンテナを利用して電波の到達領域を特定の方向に集中させて指向性（ｄｉｒｅｃｔｉｖｉｔｙ）を増大させる。この際、多数のアンテナが集合された形態はアンテナアレイ（ａｎｔｅｎｎａ  ａｒｒａｙ）、アレイに含まれている各アンテナはアレイエレメント（ａｒｒａｙ  ｅｌｅｍｅｎｔ）と称される。前記アンテナアレイは線形アレイ（ｌｉｎｅａｒ  ａｒｒａｙ）、平面アレイ（ｐｌａｎｅｒ  ａｒｒａｙ）など多様な形態で構成される。前記送信ビームフォーミングを使用すると信号の指向性が増大されて伝送距離が増加される。なお、指向される方向以外の他の方向には信号が殆ど伝送されないため、他の受信端に対する信号干渉が大きく減少する。前記受信端は受信アンテナアレイを利用して受信信号に対するビームフォーミングを行う。前記受信ビームフォーミングは電波の受信を特定方向に集中させて該当方向に入る受信信号感度を増加させ、該当方向以外の方向から入る信号を受信信号から排除することで干渉信号を遮断する利得を提供する。
【０００５】
上述したように、広い周波数帯域を確保するために超高周波、つまり、ミリメートル（ｍｍ）ウェーブ（ｗａｖｅ）システムが提示される。この場合、電波経路損失を克服するためにビームフォーミング技術が考慮される。この場合、初期接続時点からビームフォーミングが適用された信号が送受信される。従って、ビームフォーミングが行われる環境でユーザ端末が同期を獲得し、システム情報を獲得するための代案が提示されるべきである。
【発明の概要】
【課題を解決するための手段】
【０００６】
上述した従来技術の問題点を解決するための本発明の目的は、無線通信システムにおけるビームフォーミングが適用された同期チャネルを利用して同期を獲得するための装置及びその方法を提供することにある。
【０００７】
本発明の他の目的は、無線通信システムでビームフォーミングが適用された放送チャネルからシステム情報を獲得するための装置及びその方法を提供することにある。
【０００８】
本発明のまた他の目的は、無線通信システムで動機チャネルを利用して好ましい送信ビーム及び受信ビームを決定するための装置及びその方法を提供することにある。
【０００９】
本発明の更に他の目的は、無線通信システムでシステム情報を利用してフレーム同期を獲得するための装置及びその方法を提供することにある。
【００１０】
前記目的を達成するための本発明の見地によると、無線通信システムにおける基地局の動作方法は、同期チャネルを介して送信される同期信号を生成する過程と、放送チャネルを介して送信される放送信号を生成する過程と、前記同期チャネル及び前記放送チャネルを互いに異なる送信ビームにビームフォーミングして繰り返し送信する過程と、を含むことを特徴とする。
【００１１】
前記目的を達成するための本発明の見地によると、無線通信システムにおける端末の動作方法は、互いに異なる送信ビームにビームフォーミングされて繰り返し送信される同期チャネルのうち少なくとも一つを検出する過程と、互いに異なるビームにビームフォーミングされて繰り返し送信される放送チャネルのうち少なくとも一つを介してシステム情報を獲得する過程と、を含むことを特徴とする。
【００１２】
前記目的を達成するための本発明の見地によると、無線通信システムにおける基地局装置は、同期チャネルを介して送信される同期信号を生成し、放送チャネルを介して送信される放送信号を生成するモデムと、前記同期チャネル及び前記放送チャネルを互いに異なる送信ビームにビームフォーミングするビームフォーミング部と、前記互いに異なる送信ビームにビームフォーミングされた前記同期チャネル及び前記放送チャネルを繰り返し送信するように制御する制御部と、を含むことを特徴とする。
【００１３】
前記目的を達成するための本発明の見地によると、無線通信システムにおける端末装置は、互いに異なる送信ビームにビームフォーミングされて繰り返し送信される同期チャネルのうち少なくとも一つを検出するモデムと、互いに異なるビームにビームフォーミングされて繰り返し送信される放送チャネルのうち少なくとも一つを介してシステム情報を獲得する制御部と、を含むことを特徴とする。
【００１４】
以下に記す発明の概要を始める前に、本特許文献全般に使用される特定単語及び句の定義を説明することが有利である。即ち、「含む（ｉｎｃｌｕｄｅ，ｃｏｍｐｒｉｓｅ）」という用語及びその派生語は制限なく含むことを意味し、「また（ｏｒ）」という用語は包括的な意味であり、及び／又は「〜に関する（ａｓｓｏｃｉａｔｅｄ  ｗｉｔｈ，ａｓｓｏｃｉａｔｅｄ  ｔｈｅｒｅｗｉｔｈ）」という句及びその派生語は〜を含む、〜内に含まれる、〜と相互接続する、〜を含有する、〜に含有される、〜と接続する又は〜に接続させる、〜と連結する又は〜に連結させる、〜と通信可能である、〜と協力する、〜を差し込む、〜と併置する、〜に近い、〜に結ばれる又は〜で結ばれる、〜を有する、〜の特性を有するなどを意味してもよく、「制御器」という用語は少なくとも一つの動作を制御するが、ハードウェア、ファームウェア、ソフトウェア又はそれらのうち少なくとも２つの一部組み合わせで具現される任意のディバイス、システム又はそれらの一部分を意味する。任意の特定制御器に関する機能が近距離であれ遠距離であれ、中央集中されるか分配され得るということに留意しなければならない。特定単語及び句に対する定義はこの特許文書の全般にかけて提供され、当業者であれば、殆どの場合ではなければ多くの部分でそのような定義がそのように定義された単語及び句の以前及び今後の使用に適用されるということを理解できるはずである。
【００１５】
本開示事項及びその利点に対するより完全な理解のために添付した図面に結び付けて以下の説明が参照され、図面における類似した参照符号は同じ部分を示す。
【図面の簡単な説明】
【００１６】
【図１】本発明の実施例による無線通信システムにおけるセルの構造の例を示す図である。
【図２】本発明の実施例による無線通信システムにおける同期チャネル及び放送チャネルの構造の例を示す図である。
【図３】本発明の実施例による無線通信システムで同期チャネルを利用した受信ビーム決定方式を示す図である。
【図４】本発明の実施例による無線通信システムにおける基地局の動作手順を示す図である。
【図５】本発明の実施例による無線通信システムにおける端末の動作手順を示す図である。
【図６】本発明の実施例による無線通信システムにおける基地局のブロック構成を示す図である。
【図７】本発明の実施例による無線通信システムにおける端末のブロック構成を示す図である。
【発明を実施するための形態】
【００１７】
以下で説明される図１から図７を介して本文書で本発明の原理を説明するために使用される多様な実施例は一例に過ぎず、本発明は本文書の範囲に限られない。当業者にとって、本発明の原理はどのような種類の無線通信システムにも適用可能であることは明白である。
【００１８】
本発明は無線通信システムにおける同期及びシステム情報獲得のための装置及びその方法に関するものである。以下、本発明は無線通信システムでビームフォーミングが適用された同期チャネル（ＳＣＨ：ｓｙｎｃｈｒｏｎｉｚａｔｉｏｎ  ｃｈａｎｎｅｌ）から同期を獲得し、放送チャネル（ＢＣＨ：ｂｒｏａｄｃａｓｔ  ｃｈａｎｎｅｌ）からシステム情報を獲得するための技術について説明する。
【００１９】
前記同期チャネルは端末の時間／周波数同期獲得のための同期信号を伝達するリソース区間であって、フレーム上の予め定義された固定位置を有する。前記同期信号は予め約束されたシーケンス（ｓｅｑｕｅｎｃｅ）で構成され、プリアンブル（ｐｒｅａｍｂｌｅ）、ミッドアンブル（ｍｉｄａｍｂｌｅ）などの名称で称されてもよい。以下の説明において、「同期チャネルを送受信する」、「同期信号を送受信する」などの指示は全て同じ意味で使用される。
【００２０】
前記放送チャネルはシステムにアクセス及び通信するために使用されるシステム情報を伝達するサポート区間であって、前記同期チャネルと同じくフレーム上の予め定義された固定位置を有する。前記放送チャネルはフレームヘッダ、スーパーフレームヘッダなどの名称で称される。以下の説明において、「放送チャネルを送受信する」、「放送信号を送受信する」、「ソステム情報を送受信する」などの指示は全て同じ意味で使用される。
【００２１】
一般に、移動通信システムは「セル（ｃｅｌｌ）」の概念を採用する。それによって、端末がいずれか一つのセルから他のセルに移動する際にハンドオーバー（ｈａｎｄｏｖｅｒ）手順が行われる。具体的なシステムの特性に応じて異なり得るが、通常一つの基地局は多数のセクタアンテナを利用して多数のセクタを形成する。それに加えて、本発明はセルの下位概念である「アンテナ領域」を定義する。前記アンテナ領域はビームフォーミングが行われる地域的単位である。一つのセル内でアンテナ領域はアンテナＩＤ（ｉｄｅｎｔｉｆｉｅｒ）で区分され、一つのアンテナ領域内で各送信ビームに割り当てられるビームインデックス（ｂｅａｍ  ｉｎｄｅｘ）は固有（ｕｎｉｑｕｅ）である。各アンテナ領域に対して、少なくとも一つのＲＦチェーン及びアンテナアレイが割り当てられるか、又は一つのアンテナアレイに属するアンテナエレメントが分けられて割り当てられる。以下、説明の便宜上、本発明は一つのアンテナ領域のための少なくとも一つのアンテナの束を「アンテナグループ」と称する。即ち、一つのアンテナ領域は一つのアンテナグループを割り当てられる。アンテナグループは物理的に同じ空間に配置されてもよく、互いに離れた他の空間に配置されてもよい。
【００２２】
図１は、本発明の実施例による無線通信システムにおけるセル構造の例を示す図である。図１において、（ａ）はセル当たり１つのアンテナ領域が存在する場合を、（ｂ）はセル当たり２つのアンテナ領域が存在する場合を示す。図１を参照すると基地局は３つのセルを運用し、アンテナ領域当たり３つの送信ビームをサポートする。同期チャネル又は放送チャネルを送信する際、図１の（ａ）の場合、前記基地局は一つのセル内で送信ビームを変更しながら３つの信号を３つの単位時間にかけて送信する。一方、図１の（ｂ）の場合、前記基地局は一つのセル内で送信ビームを変更しながら６つの信号を３つの単位時間にかけて送信する。即ち、図１の（ｂ）の場合は互いに異なるアンテナ領域に属する２つの信号を空間的に多重化（ｍｕｌｔｉｐｌｅｘｉｎｇ）するため、前記基地局は互いに異なるアンテナグループを介してアンテナ領域−０及びアンテナ領域−１で同時に信号を送信する。
【００２３】
アンテナ領域当たり送信ビームの個数が同じである場合、システムはアンテナ領域の個数が多いほど狭いビームを介して通信効率を増大させる。また、セル当たり送信ビームの個数が同じである場合、システムはアンテナ領域の個数が多いほど同期チャネル及び放送チャネルに必要なリソース量を減らす。図１の場合、アンテナ領域当たり送信ビームの個数は３つに示されたが、本発明の他の実施例によってより狭いビーム幅を有する４つ以上の送信ビームが使用されてもよい。
【００２４】
図２は、本発明の実施例による無線通信システムにおける同期チャネル及び放送チャネルの構造の例を示す図である。図２は５つの送信ビームがサポートされる場合を仮定する。
【００２５】
図２を参照すると、フレーム２１０は多数のサブフレーム（ｓｕｂｆｒａｍｅ）２２０を含み、サブフレーム２２０はダウンリンク（ＤＬ：ｄｏｗｎｌｉｎｋ）区間２３２及びアップリンク（ＵＬ：ｕｐｌｉｎｋ）区間２３４で区分される。図２において、ダウンリンク区間２３２及びアップリンク区間２３４は時間軸で区分されるが、本発明の他の実施例によってダウンリンク区間２３２及びアップリンク区間２３４は周波数軸で区分されてもよい。ダウンリンク区間２３２の一部は同期／放送チャネル区間２４０として定義される。同期／放送チャネル区間２４０は周期的に含まれる。図２の場合、同期／放送チャネル区間はフレームごとに存在する。
【００２６】
同期／放送チャネル区間２４０はダウンリンク区間２３２の後端に位置する。即ち、同期／放送チャネル区間２４０の最後端に位置する放送チャネル−４２６４の最後のシンボルがダウンリンク区間２３２の最後のシンボルである。よって、フレーム２１０の同期は最後の放送チャネル２６４の位置を判断することで獲得される。但し、本発明の他の実施例によって、同期／放送チャネル区間２４０はサブフレーム２２０又はフレーム２１０内で分散配置されてもよく、又はダウンリンク区間２３２の後端ではなく前端又は中間に位置してもよい。また、本発明の他の実施例によって一つのダウンリンク区間２３２は多数の同期／放送チャネル区間２４０を含む。
【００２７】
同期／放送チャネル区間２４０は多数の同期チャネル２５０から２５４及び多数の放送チャネル２６０から２６４を含む。一つの同期チャネル及び一つの放送チャネルが対（ｐａｉｒ）をなす。一つの対に含まれる同期チャネル及び放送チャネルは同じ方向の送信ビームにビームフォームングされる。即ち、同期チャネル−０２５０及び放送チャネル−０２６０は同じ方向の送信ビームにビームフォームングされる。そして、一つのフレーム２２０に含まれる５つの同期／放送チャネルの対は互いに異なる方向の送信ビームにビームフォームングされる。基地局でサポートする送信ビームの個数に応じて同期／放送チャネルの対の個数が異なり得る。図２において、対をなす一つの同期チャネル及び一つの放送チャネルは時間軸で隣接する。しかし、本発明の他の実施例によって、対をなす一つの同期チャネル及び一つの放送チャネルは予め定義された個数のシンボルだけ離隔される。例えば、多数の同期チャネル２５０から２５４が連続して配置され、多数の放送チャネル２６０から２６４が連続して配置される。また、本発明の他の実施例によって、多数の同期チャネル２５０から２５４それぞれは主（ｐｒｉｍａｒｙ）同期チャネル及び副（ｓｅｃｏｎｄａｒｙ）同期チャネルで区分される２つのシンボルで構成される。
【００２８】
同期チャネル２５０から２５４を介して送信される同期信号はセルＩＤを指示する。なお、図１の（ｂ）のように多数のアンテナ領域が存在する場合、同期信号はアンテナ領域ＩＤを更に指示する。セルＩＤ及びアンテナ領域ＩＤは、同期信号を構成するシーケンス、同期信号がマッピングされた副搬送波の位置、同期信号に対するスクランブリングコード（ｓｃｒａｍｂｌｉｎｇ  ｃｏｄｅ）、カバリングコード（ｃｏｖｅｒｉｎｇ  ｃｏｄｅ）のうち少なくとも一つを介して指示される。
【００２９】
また、同期チャネル２５０から２５４は互いに異なる送信ビームを利用してビームフォーミングされた同期信号を伝達し、互いに異なる送信ビームはビームＩＤを介して識別される。本発明の実施例によって、ビームＩＤは同期チャネル２５０から２５４を介して指示される。例えば、ビームＩＤは同期信号を構成するシーケンス、同期信号がマッピングされた副搬送波の位置、同期信号に対するスクランブリングコード、カバリングコードのうち少なくとも一つを介して指示される。本発明の他の実施例によって、ビームＩＤは放送チャネル２６０から２６４を介して送信されるシステム情報に含まれる。この場合、同期チャネル−０２５０に適用された送信ビームのビームＩＤは放送チャネル−０２６０を介して送信されるシステム情報に含まれる。もし、ビームＩＤが放送チャネル２６０から２６４を介して送信される場合には同期信号の構造が相対的に単純化するため、同期獲得手順が簡明になる。一方、ビームＩＤは同期チャネル２５０から２５４を介して指示される場合、全ての放送チャネル２６０から２６４を介して送信されるシステム情報が同じくなる。この場合、システム情報から生成される物理的信号が同じであるため、端末は放送チャネル２６０から２６４を介して受信される信号を結合することでデコーディング利得（ｄｅｃｏｄｉｎｇ  ｇａｉｎ）を得る。但し、ビームＩＤは放送チャネル２６０から２６４を介して送信されても、ビームＩＤがシステム情報のうち一つの情報項目ではなくシステム情報のスクランブリングコードとして使用される場合、端末はデスクランブリング（ｄｅｓｃｒａｍｂｌｉｎｇ）してから結合によってデコーディング利得を増加させる。
【００３０】
端末のフレーム同期を獲得するために、システム情報は同期／放送チャネル区間２４０の境界を判断する情報を含む。同期／放送チャネル区間２４０はフレーム内で固定位置を有する。よって、同期／放送チャネル区間２４０の位置を知れば端末はフレームの境界を判断することができる。端末は互いに異なる送信ビームにビームフォーミングされた同期チャネル２５０から２５４のうち少なくとも一つを検出するが、一つの同期チャネルのみでは同期／放送チャネル区間２４０の境界を正確に知ることができない。なぜならば、端末は自ら検出した同期チャネル以外の他の同期チャネル個数を知らないためである。よって、端末はシステム情報を介して同期チャネルの個数がいくつであるのか、言い換えると、基地局でサポートされる送信ビームの個数がいくつであるのかを確認した後、送信ビームの個数を利用して自ら検出した同期チャネル以外にいくつの他の同期チャネルが存在するのかを判断して同期／放送チャネル区間２４０の境界を判断する。例えば、図２のように同期／放送チャネル区間２４０の最後のシンボルがダウンリンク区間２３２の最後のシンボルである場合、同期チャネル−２２５２を検出した端末はシステム情報を介して送信ビームの個数が５つであることを確認し、同期チャネル−２２５２に続いて２つの同期チャネルが更に存在すると判断する。それによって端末は同期／放送チャネル区間２４０の最後のシンボルの位置を決定し、ダウンリンク区間２３２の終了境界を決定する。もし、同期／放送チャネル区間２４０とサブフレーム２２０の境界の位置関係が予め定義されていない場合、同期／放送チャネル区間２４０とサブフレーム２２０の境界の位置関係はシステム情報を介して伝達される。
【００３１】
図２において、一つのダウンリンク区間２３２及び一つのアップリンク区間２３４を含む範囲はサブフレーム２２０として、多数のサブフレーム２２０の束はフレーム２１０として示されている。しかし、本発明の他の実施例によってサブフレーム２２０がフレームに、フレーム２１０はスーパーフレームに称されてもよい。
【００３２】
図３は、本発明の実施例による無線通信システムで同期チャネルを利用した受信ビーム決定方式を示す図である。図３は基地局が４つの送信ビームを、端末が４つの受信ビームをサポートする場合を仮定する。
【００３３】
図３を参照すると、基地局はフレームごとに同期チャネルを周期的に送信する。即ち、フレームごとに一つの同期チャネル区間が含まれる。この際、一つのフレームの間、基地局はサポート可能な送信ビームで同期チャネルにビームフォーミングを適用する。言い換えると、基地局はフレームごとに同期チャネルを４回送信し、４つの同期チャネルは送信ビームＡ３１１、送信ビームＢ３１２、送信ビームＣ３１３、送信ビームＤ３１４にビームフォーミングされる。
【００３４】
それによって、端末はフレームごとに受信ビームを変更しながら多数のフレームにかけて同期チャネルを受信する。例えば、端末が１つの受信ＲＦ（Ｒａｄｉｏ  Ｆｒｅｑｕｅｎｃｙ）チェーンのみを具備する場合、端末はフレームごとに１つの受信ビームにビームフォーミングして４つのフレームの間に同期チャネルを受信する。即ち、図３に示したように、端末はフレームｎで受信ビームＡ３２１に、フレームｎ＋１で受信ビームＢ３２２に、フレームｎ＋２で受信ビームＣ３２３に、フレームｎ＋３で受信ビームＤ３２４に受信ビームフォーミングする。他の例として、端末が２つの受信ＲＦチェーンを具備する場合、端末はフレームごとに２つの受信ビームにビームフォーミングして２つのフレームの間に同期チャネルを受信する。即ち、図３に示したように、端末はフレームｎで受信ビームＡ３２１及び受信ビームＢ３２２に、フレームｎ＋１で受信ビームＣ３２３及び受信ビームＤ３２４に受信ビームフォーミングする。
【００３５】
上述した過程を介して、端末は全ての送信ビーム及び全ての受信ビームの組み合わせで同期チャネルを受信する。それによって、端末は受信信号強度を最大化する一つの組み合わせを最適の送信ビーム及び最適の受信ビームとして決定する。
【００３６】
図３に示した実施例は、基地局で使用される送信ビームのビーム幅を限定していない。しかし、本発明の他の実施例によって、基地局は互いに異なるビーム幅を有する送信ビームを段階的に使用して端末が最適の送信ビームを決定するようにする。
【００３７】
以下、本発明は上述したような構造の同期チャネル及び放送チャネルを利用する端末及び基地局の動作及び構成を、図面を参照して詳細に説明する。
【００３８】
図４は、本発明の実施例による無線通信システムにおける基地局の動作手順を示す図である。
【００３９】
図４を参照すると、基地局はステップ４０１で同期信号を生成する。同期信号とは、同期チャネルを介して送信される予め定義されたシーケンスで構成される信号である。同期信号はセルＩＤを指示する。基地局が一つのセル内で多数のアンテナ領域を運用する場合、同期信号はアンテナ領域ＩＤを更に指示する。この場合、基地局はアンテナ領域別に相異なる同期信号を生成する。また、本発明の実施例によって、同期信号は適用される送信ビームＩＤを指示する。この場合、基地局は適用される送信ビーム別に異なる同期信号を生成する。セルＩＤ、アンテナ領域ＩＤ、送信ビームＩＤは同期信号を構成するシーケンス、同期信号がマッピングされた副搬送波の位置、同期信号に対するスクランブリングコード、カバリングコードのうち少なくとも一つを介して指示される。本発明の他の実施例によって、送信ビームＩＤは放送チャネルを介して指示されてもよく、この場合、同期信号は適用される送信ビームＩＤを指示しない。
【００４０】
次に、基地局はステップ４０３に進行してシステム情報をインコーディングする。言い換えると、基地局は放送チャネルを介して送信する放送信号を生成する。システム情報は端末が基地局にアクセスするために必要な設定情報、システムパラメータなどを含む。例えば、システム情報は基地局でサポートする送信ビームの個数を知らせる情報、同期／放送チャネル区間の境界を判断する情報などを含む。もし、同期／放送チャネル区間の境界のフレーム上の位置が予め定義されていない場合、システム情報は同期／放送チャネル区間の境界のフレーム上の位置を知らせる情報を更に含む。本発明の実施例によって、送信ビームＩＤが同期チャネルを介して指示される場合、放送信号は適用される送信ビームに応じて異なるのではなく同じである。一方、本発明の他の実施例によって送信ビームＩＤが放送チャネルを介して指示される場合、放送信号は適用される送信ビームよって異なる。詳しくは、送信ビームＩＤはシステム情報のうち一つの情報項目として含まれるか、又はシステム情報に適用されるスクランブリングコードの形態で指示される。
【００４１】
次に、基地局はステップ４０５に進行して同期信号及び放送信号を互いに異なる送信ビームにビームフォーミングしながら繰り返し送信する。言い換えると、一つの同期／放送チャネル区間の間に基地局は互いに異なる送信ビームにビームフォーミングされた同期チャネル及び放送チャネルを送信する。それによって、一つの同期／放送チャネル区間は基地局でサポートする送信ビームの個数だけ同期チャネル及び放送チャネルの対を含む。この際、基地局が一つのセル内で多数のアンテナ領域を運用する場合、基地局はアンテナ領域で同時に同期信号及び送信信号を送信する。即ち、アンテナ領域は独立的なビームフォーミングが可能であるため、基地局はアンテナ領域当たり一つの送信ビームを形成、言い換えると、アンテナ領域の個数だけの送信ビームを同時に形成する。
【００４２】
次に、基地局はステップ４０７に進行して同期／放送チャネルの送信周期が経過したのかを判断する。例えば、同期／放送チャネルの送信周期はサブフレーム、フレーム又はスーパーフレームである。即ち、同期／放送チャネル区間は周期的に配置され、フレーム内で固定位置を有する。同期／放送チャネルの送信周期が経過すると基地局はステップ４０１に戻る。但し、本発明の他の実施例によって、以前に生成された同期信望及び放送信号が再使用されてもよい。この場合、基地局はステップ４０５に戻る。
【００４３】
図４に示していないが、基地局は同期チャネル及び放送チャネルを受信した端末から好ましい送信ビームＩＤをフィードバックされる手順を更に行う。この場合、基地局は端末の好ましい送信ビームを認知し、スケジューリングの際に端末の好ましい送信ビームを参照する。
【００４４】
図５は、本発明の実施例による無線通信システムにおける端末の動作手順を示す図である。
【００４５】
図５を参照すると、端末はステップ５０１で同期チャネルを利用して好ましい送信ビーム及び好ましい受信ビームを決定する。同期チャネルは周期的に送信され、一つの周期の間に互いに異なる送信ビームにビームフォーミングされた同期チャネルが繰り返し送信される。例えば、同期チャネルの送信周期はフレーム又はスーパーフレームである。よって、端末は多数の周期の間に周期ごとに受信ビームを変更しながら同期チャネルを受信することで、全ての送信ビーム及び受信ビームの組み合わせで同期チャネルを受信する。それによって、端末は受信信号強度を最大化する一つの組み合わせを好ましい送信ビーム及び好ましい受信ビームとして決定する。この際、端末が同時に適用可能な受信ビームの個数は、端末に具備される受信ＲＦチェーンの個数に応じて異なり得る。
【００４６】
次に、端末はステップ５０３に進行し、同期チャネルを利用してセルＩＤ、アンテナ領域ＩＤ，送信ビームＩＤのうち少なくとも一つを獲得する。同期信号を介して受信される同期信号はセルＩＤを指示する。基地局が一つのセル内で多数のアンテナ領域を運用する場合、同期信号はアンテナ領域ＩＤを更に指示する。また、本発明の実施例によって同期信号は適用される送信ビームＩＤを指示する。セルＩＤ、アンテナ領域ＩＤ、送信ビームＩＤは同期信号を構成するシーケンス、同期信号がマッピングされた副搬送波の位置、同期信号に対するスクランブリングコード、カバリングコードのうち少なくとも一つを介して指示される。即ち、端末は検出された同期信号のシーケンス、検出された同期信号がマッピングされた副搬送波の位置、検出された同期信号に対するスクランブリングコード、カバリングコードのうち少なくとも一つに応じてセルＩＤ、アンテナ領域ＩＤ、送信ビームＩＤのうち少なくとも一つを識別する。本発明の他の実施例によって、送信ビームＩＤは放送チャネルを介して指示されてもよく、この場合、同期信号は適用される送信ビームＩＤを指示しない。
【００４７】
次に、端末はステップ５０５に進行して放送チャネルをデコーディングする。放送チャネルは同期チャネルと対をなし、放送チャネルは対をなす同期チャネルと同じ送信ビームにビームフォーミングされる。放送チャネルは対をなす同期チャネルと予め定義されたシンボルだけ離隔されて位置する。例えば、図２のように対をなす同期チャネル及び放送チャネルは隣接して配置される。よって、同期信号を検出した端末は同期信号から同じ送信ビームにビームフォーミングされた放送チャネルの位置を判断する。この際、端末はステップ５０１で決定された好ましい受信ビームを放送チャネルに適用する。放送チャネルはシステム情報を伝達し、システム情報は端末が基地局にアクセスするために必要な設定情報、システムパラメータなどを含む。本発明の実施例によって、送信ビームＩＤが同期チャネルを介して指示される場合、放送信号は適用される送信ビームに応じて異なるのではなく同じである。よって、この場合、端末は多数の放送信号を結合することでデコーディング利得を増加させる。一方、本発明の他の実施例によって、送信ビームＩＤが放送チャネルを介して指示される場合、放送信号は適用される送信ビームに応じて異なる。詳しくは、送信ビームＩＤはシステム情報のうち一つの情報項目として含まれるか、又はシステム情報に適用されるスクランブリングコードの形態で指示される。送信ビームＩＤがスクランブリングコードの形態で指示される場合、端末は多数の放送信号をデスクランブリングしてから結合することでデコーディング利得を増加させる。
【００４８】
次に、端末はステップ５０７に進行してフレーム同期を獲得する。即ち、端末は放送チャネルを介して獲得したシステム情報及び検出した同期信号の位置を利用してスーパーフレーム、フレーム、サブフレームなどの境界を判断する。即ち、端末はシステム情報を介して同期／放送チャネル区間の境界を判断し、境界からフレームの境界を決定する。例えば、同期／放送チャネル区間の終了境界がフレームで固定位置を有する場合、端末はシステム情報を介して同期チャネルの個数がいくつであるのかを判断し、自ら検出した同期チャネルに続いて位置する同期チャネルの個数を計算し、同期／放送チャネル区間の終了境界を判断し、終了境界及びフレームの位置関係に応じてフレームの境界を判断する。この際、同期／放送チャネル区間の境界のフレーム上の位置が予め定義されていない場合、端末はシステム情報を介して同期／放送チャネル区間の境界のフレーム上の位置を知らせる情報を獲得する。
【００４９】
図５に示していないが、端末はステップ５０２で決定した好ましい送信ビームの送信ビームＩＤをフィードバックされる手順を更に行う。
【００５０】
図６は、本発明の実施例による無線通信システムにおける基地局のブロック構成を示す図である。
【００５１】
図６を参照すると、基地局はモデム６１０、受信部６２０、送信ＲＦチェーン６３０、ビームフォーミング部６４０、アンテナアレイ６５０、制御部６６０を含んで構成される。
【００５２】
モデム６１０は、システムの物理階層規格に応じて基底帯域信号及びビット列間の変換機能を行う。例えば、ＯＦＤＭ方式による場合、データを送信する際、モデム６１０は送信ビット列を符号化及び変調することで複素シンボルを生成し、複素シンボルを副搬送波にマッピングした後、ＩＦＦＴ（Ｉｎｖｅｒｓｅ  Ｆａｓｔ  Ｆｏｕｒｉｅｒ  Ｔｒａｎｓｆｏｒｍ）演算及びＣＰ（Ｃｙｃｌｉｃ  Ｐｒｅｆｉｘ）挿入を介してＯＦＤＭシンボルを構成する。また、データを受信する際、モデム６１０は基底帯域信号をＯＦＤＭシンボル単位に分割し、ＦＦＴ（Ｆａｓｔ  Ｆｏｕｒｉｅｒ  Ｔｒａｎｓｆｏｒｍ）演算を介して副搬送波にマッピングされた信号を復元した後、復調及び復号化を介して受信ビット列を復元する。受信部６２０は、端末から受信されるＲＦ信号を基底帯域デジタル信号に変換する。詳しく図示していないが、受信部６２０はアンテナ、受信ＲＦチェーンなどを含む。
【００５３】
送信ＲＦチェーン６３０はモデム６１０から提供される基底帯域デジタル信号列（ｓｔｒｅａｍ）をＲＦ帯域のアナログ信号に変換する。例えば、送信ＲＦチェーン６３０は増幅器、ミキサー（Ｍｉｘｅｒ），オシレータ（ｏｓｃｉｌｌａｔｏｒ）、ＤＡＣ（Ｄｉｇｉｔａｌ  ｔｏ  Ａｎａｌｏｇ  Ｃｏｎｖｅｒｔｏｒ）、フィルタ（ｆｉｌｔｅｒ）などを含む。図６は一つの送信ＲＦチェーン６３０のみを示している。しかし、本発明の他の実施例によって基地局は多数のＲＦ送信チェーンを含む。この場合、基地局は送信ＲＦチェーンの個数だけ多数の送信ビームを同時に形成する。
【００５４】
ビームフォーミング部６４０は送信ＲＦチェーン６３０から提供される送信信号に対して送信ビームフォーミングを行う。例えば、ビームフォーミング部６４０は多数の位相変換機、多数の増幅器、信号合算機を含む。即ち、ビームフォーミング部６４０は送信ＲＦチェーン６３０から提供される送信される送信信号をアンテナアレイ６５０に含まれた多数のアンテナの個数だけ分岐し、各分岐された信号の位相及び大きさを調節する。アンテナアレイ６５０は多数のアンテナの集合体であって多数のアレイエレメントを含み、ビームフォーミング部６４０から提供される信号を無線チャネルに放射する。
【００５５】
制御部６６０は基地局の全般的機能を制御する。例えば、制御部６６０は送信トラフィックパケット及びメッセージを生成してモデム６１０に提供し、モデム６１０から提供される受信トラフィックパケット及びメッセージを解釈する。特に、制御部６６０は本発明の実施例によって同期チャネル及び放送チャネルを送信するように制御する。同期チャネル及び放送チャネルを送信するための制御部６６０の動作を説明すると以下のようである。
【００５６】
制御部６６０は同期信号のシーケンスを決定し、シーケンスを復調することで同期信号を生成するようにモデム６１０を制御する。同期信号はセルＩＤを指示する。基地局が一つのセル内で多数のアンテナ領域を運用する場合、同期信号はアンテナ領域ＩＤを更に指示する。この場合、制御部６６０はアンテナ領域別に異なる同期信号を生成する。また、本発明の実施例によって、同期信号は適用される送信ビームＩＤを指示する。この場合、制御部６６０は適用される送信ビーム別に異なる同期信号を生成する。セルＩＤ、アンテナ領域ＩＤ、送信ビームＩＤは同期信号を構成するシーケンス、同期信号がマッピングされた副搬送波の位置、同期信号に対するスクランブリングコード、カバリングコードのうち少なくとも一つを介して指示される。本発明の他の実施例によって、送信ビームＩＤは放送チャネルを介して指示されてもよく、この場合、同期信号は適用される送信ビームＩＤを指示しない。
【００５７】
次に、制御部６６０はシステム情報を生成し、シーケンスをインコーディング及び復調することで放送信号を生成するようにモデム６１０を制御する。本発明の実施例によって送信ビームＩＤが同期チャネルを介して指示される場合、放送信号は適用される送信ビームに応じて異なるのではなく同じである。一方、本発明の他の実施例によって送信ビームＩＤが放送チャネルを介して指示される場合、放送信号は適用される送信ビームに応じて異なる。詳しくは、送信ビームＩＤはシステム情報のうち一つの情報項目として含まれるか、又はシステム情報に適用されるスクランブリングコードの形態で指示される。端末がフレーム同期を獲得するように、システム情報は基地局でサポートする送信ビームの個数を知らせる情報を含む。
【００５８】
制御部６６０は同期信号及び放送信号を周期的に送信し、一つの周期の間に同期信号及び放送信号を繰り返し送信するが、繰り返し送信される同期信号及び放送信号が互いに異なる送信ビームにビームフォーミングされるようにビームフォーミング部６４０を制御する。言い換えると、一つの同期／放送チャネル区間の間に制御部６６０は互いに異なる送信ビームにビームフォーミングされた同期チャネル及び放送チャネルを送信する。この際、基地局が一つのセル内で多数のアンテナ領域を運用する場合、制御部６６０はアンテナ領域で同時に同期チャネル及び放送チャネルを送信する。多数のアンテナ領域が運用される場合、基地局は多数の送信ＲＦチェーンを具備するか又はアンテナアレイ６５０のアンテナエレメントを多数のアンテナ領域に分けて割り当てる。
【００５９】
また、制御部６６０は受信部６２０を介して同期チャネル及び放送チャネルを受信した端末から好ましい送信ビームＩＤをフィードバックされる。この場合、制御部６６０は端末の好ましい送信ビームを認知し、スケジューリングの際に端末の好ましい送信ビームを参照する。
【００６０】
図７は、本発明の実施例による無線通信システムにおける端末のブロック構成を示す図である。
【００６１】
図７に示したように、端末はアンテナアレイ７１０、ビームフォーミング部７２０、受信ＲＦチェーン７３０、モデム７４０、送信部７５０、制御部７６０を含んで構成される。
【００６２】
アンテナアレイ７１０は多数のアンテナの集合体であって、多数のアレイエレメントを含む。ビームフォーミング部７２０は、アンテナアレイ７１０を構成する多数のアンテナを介して受信される信号に対して受信ビームフォーミングを行う。例えば、ビームフォーミング部７２０は多数の増幅器、多数の位相変換機、信号合算機を含む。即ち、ビームフォーミング部７２０は多数のアンテナそれぞれを介して受信された信号の位相を調節し合算することでビームフォーミングを行う。受信ＲＦチェーン７３０はＲＦ帯域のアナログ受信信号を基底帯域デジタル信号に変換する。例えば、受信ＲＦチェーン７３０は増幅器、ミキサー、オシレータ、ＡＤＣ（Ａｎａｌｏｇ  ｔｏ  Ｄｉｇｉｔａｌ  Ｃｏｎｖｅｒｔｏｒ）、フィルタなどを含む。図７は一つの送信ＲＦチェーン７３０のみを図示する。しかし、本発明の他の実施例によって端末は多数のＲＦ受信チェーンを含む。この場合、端末は受信ＲＦチェーンの個数だけ多数の受信ビームを同時に形成する。
【００６３】
モデム７４０は、システムの物理階層規格に応じて基底帯域信号及びビット列間の変換機能を行う。例えば、ＯＦＤＭ方式による場合、データを送信する際、モデム７４０は送信ビット列を符号化及び変調することで複素シンボルを生成し、複素シンボルを副搬送波にマッピングした後、ＩＦＦＴ演算及びＣＰ挿入を介してＯＦＤＭシンボルを構成する。また、データを受信する際、モデム７４０は受信ＲＦチェーン７３０から提供される基底帯域信号をＯＦＤＭシンボル単位で分割し、ＦＦＴ演算を介して副搬送波にマッピングされた信号を復元した後、復調及び復号化を介して受信ビット列を復元する。特に、モデム７４０は基地局から送信される同期信号に対する受信信号強度を測定する。詳しくは、モデム７４０は基地局から送信される同期チャネルを検出し、各相記チャネルに対する受信信号強度を測定した後、受信信号強度を制御部７６０に提供する。
【００６４】
送信部７５０は、モデム７４０から提供される送信信号をＲＦ帯域信号に変換して基地局に送信する。詳しく図示していないが、送信部７５０は送信ＲＦチェーン、アンテナなどを含む。
【００６５】
制御部７６０は端末の全般的機能を制御する。例えば、制御部７６０は送信トラフィックパケット及びメッセージを生成してモデム７４０に提供し、モデム７４０から提供される受信トラフィックパケット及びメッセージを解釈する。特に、制御部７６０は同期チャネル及び放送チャネルを検出することで好ましい送受信ビームを決定し、同期及びシステム情報を獲得するように制御する。一方、同期チャネル及び放送チャネルを検出するための制御部７６０の動作を説明すると以下のようである。
【００６６】
制御部７６０は基地局から送信される同期チャネルを利用して好ましい送信ビーム及び好ましい受信ビームを決定する。制御部７６０は多数の周期の間に周期ごとに受信ビームを変更して同期チャネルを受信するようにビームフォーミング部７２０を制御し、それによって全ての送信ビーム及び受信ビームの組み合わせに対する受信信号強度を獲得する。それによって、制御部７６０は受信信号強度を最大化する一つの組み合わせを最適の送信ビーム及び最適の受信ビームとして決定する。この際、端末が同時に適用可能な受信ビームの個数は、端末に具備される受信ＲＦチェーンの個数に応じて異なり得る。また、制御部７６０は送信部７５０を介して好ましい送信ビームの送信ビームＩＤをフィードバックする。
【００６７】
制御部７６０は同期チャネルを利用してセルＩＤ、アンテナ領域ＩＤ，送信ビームＩＤのうち少なくとも一つを獲得する。同期信号を介して受信される同期信号はセルＩＤを指示する。基地局が一つのセル内で多数のアンテナ領域を運用する場合、同期信号はアンテナ領域ＩＤを更に指示する。また、本発明の実施例によって、同期信号は適用される送信ビームＩＤを指示する。即ち、制御部７６０はモデム７４０から検出された同期信号のシーケンス、検出された同期信号がマッピングされた副搬送波の位置、検出された同期信号に対するスクランブリングコード、カバリングコードのうち少なくとも一つに応じてセルＩＤ、アンテナ領域ＩＤ、送信ビームＩＤのうち少なくとも一つを識別する。本発明の他の実施例によって、送信ビームＩＤは放送チャネルを介して指示されてもよく、この場合、同期信号は適用される送信ビームＩＤを指示しない。
【００６８】
制御部７６０は放送チャネルをデコーディングするようにモデム７４０を制御する。放送チャネルは同期チャネルと対をなし、放送チャネルは対をなす同期チャネルと同じ送信ビームにビームフォーミングされる。よって、同期信号を検出したモデム７４０は検出された同期信号から同じ送信ビームにビームフォーミングされた放送チャネルの位置を判断し、放送チャネルをデコーディングした後、放送チャネルのデコーディング結果を制御部７６０に提供する。本発明の実施例によって、送信ビームＩＤは同期チャネルを介して指示される場合、放送信号は適用される送信ビームに応じて異なるのではなく同じである。この場合、モデム７４０は多数の放送チャネルから受信される信号を結合することでデコーディング利得を増加させる。一方、本発明の他の実施例によって、送信ビームＩＤが放送チャネルを介して指示される場合、放送信号は適用される送信ビームに応じて異なる。具体的には、送信ビームＩＤはシステム情報のうち一つの情報項目として含まれるか、又はシステム情報に適用されるスクランブリングコードの形態で指示される。この場合、モデム７４０は多数の放送チャネルから受信される信号をデスクランブリングしてから結合することでデコーディング利得を増加させる。
【００６９】
制御部７６０はフレーム同期を獲得する。即ち、制御部７６０は放送チャネルを介して獲得したシステム情報及び検出した信号の位置を利用してスーパーフレーム、フレーム、サブフレームなどの境界を判断する。即ち、制御部７６０はシステム情報を介して同期／放送チャネル区間の境界を判断し、境界からフレーム同期を獲得する。例えば、同期／放送チャネル区間の終了境界がフレームで固定された位置を有する場合、制御部７６０はシステム情報を介して同期チャネルの個数がいくつであるのかを判断し、自らが検出した同期チャネルに続いて位置する同期チャネルの個数を計算し、同期／放送チャネル区間の終了境界を判断し、終了境界及びフレームの位置関係に応じてフレームの境界を判断する。この際、同期／放送チャネル区間の境界のフレーム上の位置が予め定義されていない場合、制御部７６０はシステム情報を介して同期／放送チャネル区間の境界のフレーム上の位置を知らせる情報を獲得する。
【００７０】
無線通信システムでビームフォーミングが適用された同期チャネル及び放送チャネルから同期を獲得し、システム情報を獲得する手順を提示することで、初期同期獲得のための手順からビームフォーミングを適用することができるため効果的な通信が可能となる。
【００７１】
本発明の請求項及び／又は明細書に記載された実施例による方法はハードウェア、ソフトウェア又はハードウェアとソフトウェアが組み合わせられた形態に具現される（ｉｍｐｌｅｍｅｎｔｅｄ）。
【００７２】
ソフトウェアはコンピュータで可読な媒体に記録される。コンピュータで可読な記録媒体は一つ以上のプログラム（ソフトウェアモジュール）を記録し、一つ以上のプログラムは、電子装置内の少なくとも一つのプロセッサによって実行される際に電子装置に本発明の方法を実行させる命令語（ｉｎｓｔｒｕｃｔｉｏｎ）を含む。
【００７３】
このようなプログラム（ソフトウェアモジュール、ソフトウェア）はランダムアクセスメモリ（ｒａｎｄｏｍ  ａｃｃｅｓｓ  ｍｅｍｏｒｙ）、フラッシュ（ｆｌａｓｈ）メモリなどの不揮発性（ｎｏｎ−ｖｉｌａｔｉｌｅ）メモリ、ロム（ＲＯＭ：Ｒｅａｄ  Ｏｎｌｙ  Ｍｅｍｏｒｙ）、電気的に削除可能なプログラマブルロム（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク記録装置（ｍａｇｎｅｔｉｃ  ｄｉｓｃ  ｓｔｏｒａｇｅ  ｄｅｖｉｃｅ）、コンパクトディスクロム（ＣＤ−ＲＯＭ：Ｃｏｍｐａｃｔ  Ｄｉｓｃ−ＲＯＭ）、デジタル多目的ディスク（ＤＶＤｓ：Ｄｉｇｉｔａｌ  Ｖｅｒｓａｔｉｌｅ  Ｄｉｓｃｓ）又は他の形態の光学記録装置、磁気カセット（ｍａｇｎｅｔｉｃ  ｃａｓｓｅｔｔｅ）に記録される。上述した記録手段及び記録媒体は、実行される場合、発明の実施例を実行する命令語を含むログラム又はプログラムを記録するのに適合した機械で可読な（ｍａｃｈｉｎｅ−ｒｅａｄａｂｌｅ）記録装置の例示である。実施例は詳細な説明の特許請求の範囲のうちいずれか一つに請求される装置及びその方法を実施するためのコードを含むプログラム、そのようなプログラムを記録する機械で可読な記録装置を提供する。なお、そのようなプログラムは無線または有線を介して伝達される通信信号及び同じことを網羅する例示のようないかなる媒体を介しても電気的に伝達可能である。
【符号の説明】
【００７４】
２１０  フレーム
２２０  サブフレーム
２３２  ダウンリンク区間
２３４  アップリンク区間
２４０  放送チャネル区間
２５０〜２４５  同期チャネル
２６０〜２６４  放送チャネル
６１０  モデム
６２０  受信部
６３０  送信ＲＦチェーン
６４０  ビームフォーミング部
６５０  アンテナアレイ
６６０  制御部
７１０  アンテナアレイ
７２０  ビームフォーミング部
７３０  チェーン
７４０  モデム
７５０  送信部
７６０  制御部
【図１】
2014532320.tif 000003
【図２】
2014532320.tif 000004
【図４】
2014532320.tif 000005
【図５】
2014532320.tif 000006
【図６】
2014532320.tif 000007
【図７】
2014532320.tif 000008
【図３】
2014532320.tif 000009
【国際調査報告】
2014532320.tif 000010
2014532320.tif 000011
2014532320.tif 000012